【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
可搬型の蓄積装置において、
ランダムアクセス可能なストレージと、
複数の機器と同時に無線接続が可能とされ、暗号化データの送受信を行う無線装置と、
無線接続される上記機器との認証を行い、認証が成立した機器との間で、上記暗号化データの送受信を可能とする認証手段と、
上記複数の機器との間で上記無線装置を介して送受信された上記暗号化データまたは上記暗号化データを復号したデータの上記ストレージに対する入出力を制御する制御部とを備えた蓄積装置。
【請求項２】
請求項１において、
上記ストレージの転送レートと上記無線装置の転送レートの許容範囲内で上記複数の機器ががそれぞれ任意のタイミングで無線接続されるようにした蓄積装置。
【請求項３】
撮影した画像を記録するようにした映像記録装置において
ランダムアクセス可能なストレージと、複数の機器と同時に無線接続が可能な無線装置とを有する蓄積装置と、
撮像素子、上記撮像素子が撮影した画像データを圧縮する画像圧縮装置、上記蓄積装置と無線通信し、圧縮且つ暗号化された画像データを送信する無線装置、および上記蓄積装置を制御する制御装置を有する撮影部の複数個とから構成され、
上記蓄積装置のストレージの転送レートと上記無線装置の転送レートの許容範囲内で、複数の上記撮影部がそれぞれ任意のタイミングで上記蓄積装置に無線接続し、
上記撮影部のそれぞれが撮影した画像データを圧縮したデータを上記蓄積装置の上記ストレージに記憶するようにした映像記録装置。
【請求項４】
請求項３において、
上記撮影部の複数個は、２個の上記撮影部が一体化された構成を有し、２個の上記撮影部が視差情報を有する二つの撮影画像データをそれぞれ出力する映像記録装置。
【請求項５】
請求項３において、
上記撮影部の複数個は、２個の上記撮影部が一体化された構成を有し、２個の上記撮影部のズームを独立に可変して撮影した撮影画像データを出力する映像記録装置。
【請求項６】
請求項３において、
上記撮影部の複数個は、２個の上記撮影部が一体化された構成を有し、広視野画像データを出力する映像記録装置。
【請求項７】
撮影した画像の記録と、画像の再生が可能とされた映像記録再生装置において
ランダムアクセス可能なストレージと、複数の機器と同時に無線接続が可能な無線装置とを有する蓄積装置と、
撮像素子、ディスプレイ、上記撮像素子が撮影した画像データを圧縮する画像圧縮装置、上記蓄積装置と無線通信し、圧縮且つ暗号化された画像データを送信する無線装置、および上記蓄積装置を制御する制御装置を有する撮影部と、
画像再生装置、ディスプレイ、画像伸張装置、上記蓄積装置と通信するための無線装置、および上記蓄積装置を制御する制御装置とを有する画像再生部とから構成され、
上記蓄積装置のストレージの転送レートと上記無線装置の転送レートの許容範囲内で、上記撮影部および上記再生部が任意のタイミングで上記蓄積装置に無線接続し、
上記撮影部が撮影した画像データを圧縮したデータを上記蓄積装置の上記ストレージに記憶し、上記ストレージから読み出したデータを上記画像再生部によって再生するようにした映像記録再生装置。
【請求項８】
映像信号の記録と、映像信号の再生が可能とされた映像記録再生装置において
ランダムアクセス可能なストレージと、複数の機器と同時に無線接続が可能な無線装置とを有する蓄積装置と、
チューナ、上記チューナが受信した映像データを圧縮する画像圧縮装置、上記蓄積装置と無線通信し、圧縮された映像データを送信する無線装置、および上記蓄積装置を制御する制御装置を有する受信部と、
画像再生装置、ディスプレイ、画像伸張装置、上記蓄積装置と通信するための無線装置、および上記蓄積装置を制御する制御装置を有する画像再生部とから構成され、
上記蓄積装置のストレージの転送レートと上記無線装置の転送レートの許容範囲内で、上記受信部および上記再生部が任意のタイミングで上記蓄積装置に無線接続し、
上記受信部が受信した映像データを圧縮したデータを上記蓄積装置の上記ストレージに記憶し、上記ストレージから読み出したデータを上記画像再生部によって再生するようにした映像記録再生装置。
【請求項９】
ランダムアクセス可能なストレージと、
複数の機器と同時に無線接続が可能とされ、暗号化データの送受信を行う無線装置と、
無線接続される上記機器との認証を行い、認証が成立した機器との間で、上記暗号化データの送受信を可能とする認証手段とから構成される可搬型の蓄積装置であって、
上記複数の機器との間で上記無線装置を介して送受信された上記暗号化データまたは上記暗号化データを復号したデータの上記ストレージに対する入出力を制御するようにした蓄積装置の制御方法。
【請求項１０】
ランダムアクセス可能なストレージと、複数の機器と同時に無線接続が可能な無線装置とを有する蓄積装置と、
撮像素子、上記撮像素子が撮影した画像データを圧縮する画像圧縮装置、上記蓄積装置と無線通信し、圧縮且つ暗号化された画像データを送信する無線装置、および上記蓄積装置を制御する制御装置を有する撮影部の複数個とから構成され、撮影した画像を記録するようにした映像記録装置であって、
上記蓄積装置のストレージの転送レートと上記無線装置の転送レートの許容範囲内で、複数の上記撮影部がそれぞれ任意のタイミングで上記蓄積装置に無線接続し、
上記撮影部のそれぞれが撮影した画像データを圧縮したデータを上記蓄積装置の上記ストレージに記憶するようにした映像記録装置の制御方法。
【請求項１１】
ランダムアクセス可能なストレージと、複数の機器と同時に無線接続が可能な無線装置とを有する蓄積装置と、
撮像素子、ディスプレイ、上記撮像素子が撮影した画像データを圧縮する画像圧縮装置、上記蓄積装置と無線通信し、圧縮且つ暗号化された画像データを送信する無線装置、および上記蓄積装置を制御する制御装置を有する撮影部と、
画像再生装置、ディスプレイ、画像伸張装置、上記蓄積装置と通信するための無線装置、および上記蓄積装置を制御する制御装置とを有する画像再生部とから構成され、撮影した画像の記録と、画像の再生が可能とされた映像記録再生装置であって、
上記蓄積装置のストレージの転送レートと上記無線装置の転送レートの許容範囲内で、上記撮影部および上記再生部が任意のタイミングで上記蓄積装置に無線接続し、
上記撮影部が撮影した画像データを圧縮したデータを上記蓄積装置の上記ストレージに記憶し、上記ストレージから読み出したデータを上記画像再生部によって再生するようにした映像記録再生装置の制御方法。
【請求項１２】
ランダムアクセス可能なストレージと、複数の機器と同時に無線接続が可能な無線装置とを有する蓄積装置と、
チューナ、上記チューナが受信した映像データを圧縮する画像圧縮装置、上記蓄積装置と無線通信し、圧縮された映像データを送信する無線装置、および上記蓄積装置を制御する制御装置を有する受信部と、
画像再生装置、ディスプレイ、画像伸張装置、上記蓄積装置と通信するための無線装置、および上記蓄積装置を制御する制御装置を有する画像再生部とから構成され、映像信号の記録と、映像信号の再生が可能とされた映像記録再生装置であって、
上記蓄積装置のストレージの転送レートと上記無線装置の転送レートの許容範囲内で、上記受信部および上記再生部が任意のタイミングで上記蓄積装置に無線接続し、
上記受信部が受信した映像データを圧縮したデータを上記蓄積装置の上記ストレージに記憶し、上記ストレージから読み出したデータを上記画像再生部によって再生するようにした映像記録再生装置の制御方法。
【手続補正２】
【補正対象書類名】明細書
【補正対象項目名】発明の名称
【補正方法】変更
【補正の内容】
【発明の名称】蓄積装置およびその制御方法、映像記録装置およびその制御方法、並びに映像記録再生装置およびその制御方法
【手続補正３】
【補正対象書類名】明細書
【補正対象項目名】０００１
【補正方法】変更
【補正の内容】
【０００１】
この発明は、カムコーダーやポータブルビューワーなどの携帯用ＡＶ（オーディオ・ビジュアル）機器に適用可能な可搬型（ポータブル）の蓄積装置およびその制御方法、映像記録装置およびその制御方法、並びに映像記録再生装置およびその制御方法に関する。
【手続補正４】
【補正対象書類名】明細書
【補正対象項目名】０００８
【補正方法】変更
【補正の内容】
【０００８】
したがって、この発明の目的は、上述した問題点を解決できる蓄積装置およびその制御方法、映像記録装置およびその制御方法、並びに映像記録再生装置およびその制御方法を提供することにある。
【手続補正５】
【補正対象書類名】明細書
【補正対象項目名】０００９
【補正方法】変更
【補正の内容】
【０００９】
上述した課題を解決するために、この発明は、可搬型の蓄積装置において、
ランダムアクセス可能なストレージと、
複数の機器と同時に無線接続が可能とされ、暗号化データの送受信を行う無線装置と、
無線接続される機器との認証を行い、認証が成立した機器との間で、暗号化データの送受信を可能とする認証手段と、
複数の機器との間で無線装置を介して送受信された暗号化データまたは暗号化データを復号したデータのストレージに対する入出力を制御する制御部とを備えた蓄積装置である。
また、この発明は、蓄積装置の制御方法である。
【手続補正６】
【補正対象書類名】明細書
【補正対象項目名】００１０
【補正方法】変更
【補正の内容】
【００１０】
この発明は、撮影した画像を記録するようにした映像記録装置において
ランダムアクセス可能なストレージと、複数の機器と同時に無線接続が可能な無線装置とを有する蓄積装置と、
撮像素子、撮像素子が撮影した画像データを圧縮する画像圧縮装置、蓄積装置と無線通信し、圧縮且つ暗号化された画像データを送信する無線装置、および蓄積装置を制御する制御装置を有する撮影部の複数個とから構成され、
蓄積装置のストレージの転送レートと無線装置の転送レートの許容範囲内で、複数の撮影部がそれぞれ任意のタイミングで蓄積装置に無線接続し、
撮影部のそれぞれが撮影した画像データを圧縮したデータを蓄積装置のストレージに記憶するようにした映像記録装置である。
また、この発明は、映像記録装置の制御方法である。
【手続補正７】
【補正対象書類名】明細書
【補正対象項目名】００１１
【補正方法】変更
【補正の内容】
【００１１】
この発明、撮影した画像の記録と、画像の再生が可能とされた映像記録再生装置において
ランダムアクセス可能なストレージと、複数の機器と同時に無線接続が可能な無線装置とを有する蓄積装置と、
撮像素子、ディスプレイ、撮像素子が撮影した画像データを圧縮する画像圧縮装置、蓄積装置と無線通信し、圧縮且つ暗号化された画像データを送信する無線装置、および蓄積装置を制御する制御装置を有する撮影部と、
画像再生装置、ディスプレイ、画像伸張装置、蓄積装置と通信するための無線装置、および蓄積装置を制御する制御装置とを有する画像再生部とから構成され、
蓄積装置のストレージの転送レートと無線装置の転送レートの許容範囲内で、撮影部および再生部が任意のタイミングで蓄積装置に無線接続し、
撮影部が撮影した画像データを圧縮したデータを蓄積装置のストレージに記憶し、ストレージから読み出したデータを画像再生部によって再生するようにした映像記録再生装置である。
また、この発明は、映像記録再生装置の制御方法である。
【手続補正８】
【補正対象書類名】明細書
【補正対象項目名】００１２
【補正方法】変更
【補正の内容】
【００１２】
この発明は、映像信号の記録と、映像信号の再生が可能とされた映像記録再生装置において
ランダムアクセス可能なストレージと、複数の機器と同時に無線接続が可能な無線装置とを有する蓄積装置と、
チューナ、チューナが受信した映像データを圧縮する画像圧縮装置、蓄積装置と無線通信し、圧縮された映像データを送信する無線装置、および蓄積装置を制御する制御装置を有する受信部と、
画像再生装置、ディスプレイ、画像伸張装置、蓄積装置と通信するための無線装置、および蓄積装置を制御する制御装置を有する画像再生部とから構成され、
蓄積装置のストレージの転送レートと無線装置の転送レートの許容範囲内で、受信部および再生部が任意のタイミングで蓄積装置に無線接続し、
受信部が受信した映像データを圧縮したデータを蓄積装置のストレージに記憶し、ストレージから読み出したデータを画像再生部によって再生するようにした映像記録再生装置である。
また、この発明は、映像記録再生装置の制御方法である。